(57)【要約】【課題】本発明は、ＰＣＩバス等の双方向バスの占有率を監視して適切な処理の選択を容易に行うことのできる画像処理装置に関する。【解決手段】デジタル複写装置１は、操作表示部６０からの操作に応じて、ＰＣＩバス２２を用いて画像データを転送して、プリントジョブ、スキャンジョブ等の複数のジョブを同時に処理するに際して、ＰＣＩバス２２の占有率をモニターし、少なくとも１つのジョブを実行中にＰＣＩバス２２の処理能力を超える新たなジョブが要求されると、ＰＣＩバス２２の処理能力の範囲内で実行中のジョブ及び新たに要求されたジョブを実行する上で必要なガイド情報を操作表示部６０のタッチパネルＬＣＤ６１に表示出力する。したがって、最適な処理をユーザが容易に選択できるようにすることができ、操作性を向上させて、利用性を向上させることができる。【選択図】          図１
2005269322.tif 000002
【特許請求の範囲】
【請求項１】
操作手段からの操作に応じて、双方向バスを用いて画像データを転送して、プリントジョブ、スキャンジョブ等の複数のジョブを同時に処理する能力を有する画像処理装置において、前記双方向バスの占有率をモニターし、少なくとも１つのジョブを実行中に当該双方向バスの処理能力を超える新たなジョブが要求されると、前記双方向バスの処理能力の範囲内で当該実行中のジョブ及び新たに要求されたジョブを実行する上で必要なガイド情報を表示手段に表示出力することを特徴とする画像処理装置。
【請求項２】
前記画像処理装置は、前記プリントジョブの実行中に前記スキャンジョブが新たに要求されると、前記双方向バスの占有率から解像度等のスキャンジョブの処理可能な動作設定項目を算出し、当該算出したスキャンジョブの処理可能な動作設定項目に基づいて当該スキャンジョブに対して動作設定項目を設定する際の動作設定ガイド情報を前記ガイド情報として前記表示手段に表示出力することを特徴とする請求項１記載の画像処理装置。
【請求項３】
前記画像処理装置は、前記スキャンジョブの動作設定項目の設定において前記双方向バスの処理能力を超える設定が行われると、前記実行中のプリントジョブに及ぼす影響についての注意ガイド情報を前記ガイド情報として前記表示手段に表示出力することを特徴とする請求項２記載の画像処理装置。
【発明の詳細な説明】
【技術分野】
【０００１】
本発明は、画像処理装置に関し、詳細には、ＰＣＩバス等の双方向バスの占有率をモニターして、適切な処理の選択を容易に行うことのできる画像処理装置に関する。
【背景技術】
【０００２】
プリンタ装置、スキャナ装置、ファクシミリ装置等の画像処理装置においては、その普及に伴って機能も多様化してきており、例えば、プリンタ装置では、プリンタ装置としての単独の機能だけでなく、基本機能のプリンタ機能に、拡張ユニットを追加することで、スキャナ機能、複写機能、ファクシミリ機能等の機能を順次拡張できるようになってきている。そして、本出願人も、先に、拡張ボード間でのデータ転送を可能として、処理速度を向上させたＰＣＩシステムを提案している（特許文献１等参照）。
【０００３】
そして、このようなＰＣＩバス（Peripheral Component Interconnect Bus ）のような双方向バスを用いて画像データを処理する画像処理装置においては、双方向バスをスキャン画像データ等の入力データとプリント出力を行うための書込出力データが双方向で通過する必要がある。
【０００４】
ところが、双方向バスを用いた画像処理装置においては、双方向バスを通過するデータ容量が、双方向バスの処理能力を超えるデータ容量に達すると、そのデータを使用したジョブを行えなくなる。
【０００５】
また、高速デジタル複写装置等においては、一度読み込んだ画像データをハードディスク（ＨＤＤ）に蓄積し、その後は、その画像データを用いて連続複写動作を行なうが、このとき、スキャナが空いているため、連続複写動作中であっても、スキャナアプリケーションを選択して、新たにスキャンを行なってハードディスクにスキャンデータ（画像データ）の蓄積を行なったり、ネットワークを通して外部へスキャンデータを送信したりすることができる。ところが、例えば、プリント出力データの解像度が高い設定になっていると、データ量が多いため、双方向バスの空き容量が減少する。この状態で、高解像度のスキャン設定を行なって、スキャナアプリケーションを実行しようとすると、設定によっては、双方向バスの処理能力を超えてしまうことになり、スキャン設定を変更するか、プリント動作を中止するか、または、両者を合わせた間欠動作等を行わないと、ジョブを実行することができない。
【０００６】
そして、従来、ジョブの実行に関しては、操作手段およびディスプレイを備えたディジタル画像処理装置を含むネットワークシステム内で、ジョブを処理するために選択された装置が、ジョブ設定に基づいてそのジョブを処理するのに必要な能力を持たない場合、ジョブの実行が妨げられ、あるいは、不可能となる事態が発生するが、このような場合に、選択された装置が、ネットワークシステムの別の装置のどれかが、そのジョブを処理できるかどうかを自動的に検査し、できれば、その旨を、装置のディスプレイ上に表示して、オペレータが、ジョブをどの装置で適切に実行させることができるかを知ることができるようにした複数の装置を有するネットワークシステム内のスキャンおよび印刷処理が提案されている（特許文献２参照）。
【０００７】
【特許文献１】特開平５−２８９８５６号公報
【特許文献２】特開２００２−１９９１５３号公報
【発明の開示】
【発明が解決しようとする課題】
【０００８】
しかしながら、上記特許文献２記載の従来技術は、ネットワークシステム上の装置が要求された処理を実行する能力を有しているか否かを検査して、処理能力を有していない場合に、ネットワークシステム上の処理能力を有している他の装置を提示するものであり、複合装置等のように双方向バスを利用してデータ転送を行っている画像処理装置において、データ量が双方向バスの処理能力を越えたデータ容量に達した場合にジョブを実行できなくなる事態については適切に対応することができないという問題があった。
【０００９】
そこで、本発明は、ＰＣＩバス等の双方向バスの占有率をモニターして、処理能力を超えるジョブが要求されたときには適切なガイド情報を表示手段に表示し、ジョブ処理の中断やミスを防止して、利用性の良好な画像処理装置を提供することを目的としている。
【００１０】
具体的には、請求項１記載の発明は、操作手段からの操作に応じて、双方向バスを用いて画像データを転送して、プリントジョブ、スキャンジョブ等の複数のジョブを同時に処理するに際して、双方向バスの占有率をモニターし、少なくとも１つのジョブを実行中に当該双方向バスの処理能力を超える新たなジョブが要求されると、双方向バスの処理能力の範囲内で当該実行中のジョブ及び新たに要求されたジョブを実行する上で必要なガイド情報を表示手段に表示出力することにより、最適な処理をユーザが容易に選択できるようにし、操作性を向上させて、利用性の良好な画像処理装置を提供することを目的としている。
【００１１】
請求項２記載の発明は、プリントジョブの実行中にスキャンジョブが新たに要求されると、双方向バスの占有率から解像度等のスキャンジョブの処理可能な動作設定項目を算出し、当該算出したスキャンジョブの処理可能な動作設定項目に基づいて当該スキャンジョブに対して動作設定項目を設定する際の動作設定ガイド情報をガイド情報として表示手段に表示出力することにより、プリントジョブの実行に影響を与えない範囲での新たなスキャンジョブの動作設定を容易に行えるようにし、プリントジョブの実行を確保して生産性を向上させつつ、利用性を向上させることのできる画像処理装置を提供することを目的としている。
【００１２】
請求項３記載の発明は、スキャンジョブの動作設定項目の設定において双方向バスの処理能力を超える設定が行われると、実行中のプリントジョブに及ぼす影響についての注意ガイド情報をガイド情報として表示手段に表示出力することにより、新たなジョブであるスキャンジョブの動作設定によって実行中のプリントジョブに及ぼす影響、例えば、インターリーブ動作によるプリント動作を行うことによるプリント時間の遅延等がユーザに分かるようにして、適切な設定を容易に行えるようにし、より一層操作性を向上させて、利用性のより一層良好な画像処理装置を提供することを目的としている。
【課題を解決するための手段】
【００１３】
請求項１記載の発明の画像処理装置は、操作手段からの操作に応じて、双方向バスを用いて画像データを転送して、プリントジョブ、スキャンジョブ等の複数のジョブを同時に処理する能力を有する画像処理装置において、前記双方向バスの占有率をモニターし、少なくとも１つのジョブを実行中に当該双方向バスの処理能力を超える新たなジョブが要求されると、前記双方向バスの処理能力の範囲内で当該実行中のジョブ及び新たに要求されたジョブを実行する上で必要なガイド情報を表示手段に表示出力することにより、上記目的を達成している。
【００１４】
この場合、例えば、請求項２に記載するように、前記画像処理装置は、前記プリントジョブの実行中に前記スキャンジョブが新たに要求されると、前記双方向バスの占有率から解像度等のスキャンジョブの処理可能な動作設定項目を算出し、当該算出したスキャンジョブの処理可能な動作設定項目に基づいて当該スキャンジョブに対して動作設定項目を設定する際の動作設定ガイド情報を前記ガイド情報として前記表示手段に表示出力するものであってもよい。
【００１５】
また、例えば、請求項３に記載するように、前記画像処理装置は、前記スキャンジョブの動作設定項目の設定において前記双方向バスの処理能力を超える設定が行われると、前記実行中のプリントジョブに及ぼす影響についての注意ガイド情報を前記ガイド情報として前記表示手段に表示出力するものであってもよい。
【発明の効果】
【００１６】
請求項１記載の発明の画像処理装置によれば、操作手段からの操作に応じて、双方向バスを用いて画像データを転送して、プリントジョブ、スキャンジョブ等の複数のジョブを同時に処理するに際して、双方向バスの占有率をモニターし、少なくとも１つのジョブを実行中に当該双方向バスの処理能力を超える新たなジョブが要求されると、双方向バスの処理能力の範囲内で当該実行中のジョブ及び新たに要求されたジョブを実行する上で必要なガイド情報を表示手段に表示出力するので、最適な処理をユーザが容易に選択できるようにすることができ、操作性を向上させて、利用性を向上させることができる。
【００１７】
請求項２記載の発明の画像処理装置によれば、プリントジョブの実行中にスキャンジョブが新たに要求されると、双方向バスの占有率から解像度等のスキャンジョブの処理可能な動作設定項目を算出し、当該算出したスキャンジョブの処理可能な動作設定項目に基づいて当該スキャンジョブに対して動作設定項目を設定する際の動作設定ガイド情報をガイド情報として表示手段に表示出力するので、プリントジョブの実行に影響を与えない範囲での新たなスキャンジョブの動作設定を容易に行えるようにすることができ、プリントジョブの実行を確保して生産性を向上させることができるとともに、利用性を向上させることができる。
【００１８】
請求項３記載の発明の画像処理装置によれば、スキャンジョブの動作設定項目の設定において双方向バスの処理能力を超える設定が行われると、実行中のプリントジョブに及ぼす影響についての注意ガイド情報をガイド情報として表示手段に表示出力するので、新たなジョブであるスキャンジョブの動作設定によって実行中のプリントジョブに及ぼす影響、例えば、インターリーブ動作によるプリント動作を行うことによるプリント時間の遅延等がユーザに分かるようにして、適切な設定を容易に行えるようにすることができ、より一層操作性を向上させて、利用性をより一層向上させることができる。
【発明を実施するための最良の形態】
【００１９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２０】
図１〜図５は、本発明の画像処理装置の一実施例を示す図であり、図１は、本発明の画像処理装置の一実施例を適用したデジタル複写装置１の要部ブロック構成図である。
【００２１】
図１において、デジタル複写装置１は、本体制御部１０、コントローラ部２０、画像処理部３０、画像処理部３０に接続された画像入力部４０と画像書込部５０及びコントローラ部２０に接続された操作表示部６０等を備えている。
【００２２】
本体制御部１０は、ＣＰＵ（Central Processing Unit ）１１及びＩ／Ｆ１２等を備えており、コントローラ部２０は、ＣＰＵ２１、ＰＣＩバス２２、Ｉ／Ｆ２３、ハードディスク（ＨＤＤ）２４、メモリ２５及びホストＩ／Ｆ２６等を備えている。また、画像処理部３０は、画像入力用ＩＰＵ（Image Processing Unit ）３１、書込用ＩＰＵ３２及びＩ／Ｆ３３等を備えている。
【００２３】
本体制御部１０は、ＣＰＵ１１が、Ｉ／Ｆ１２を介してコントローラ部２０のＰＣＩバス２２に接続されており、ＣＰＵ１１は、図示しないＲＯＭ（Read Only Memory）内に格納されているプログラムに基づいてデジタル複写装置１の各部を制御して、デジタル複写装置１としての処理を実行する。
【００２４】
コントローラ部２０は、ＰＣＩバス２２に、ＣＰＵ２１とＩ／Ｆ２３が接続されており、Ｉ／Ｆ２３には、ハードディスク２４が接続されている。また、ＣＰＵ２１には、メモリ２５とホストＩ／Ｆ２６が接続されているとともに、操作表示部６０が接続されており、ＣＰＵ２１は、メモリ２５内のプログラム及びデータに基づいて本体制御部１０のＣＰＵ１１と通信を行いつつメモリ２５をワークメモリとして利用して、画像データを利用した各種動作制御を行うとともに、操作表示部６０の操作内容の取得及び操作表示部６０のタッチパネルＬＣＤ６１（図３及び図５参照）への表示制御等を行う。
【００２５】
ホストＩ／Ｆ２６には、ホストコンピュータ等の外部ホスト装置等の接続されているＬＡＮ（Local Area Network）が接続されており、ホストＩ／Ｆ２６は、当該ＬＡＮを介して外部ホスト装置との間で画像データ等の授受を行って、ＬＡＮを介して外部ホスト装置から転送されてきた画像データをＣＰＵ２１に渡し、また、ＣＰＵ２１から受け取った画像データをＬＡＮを介してホスト装置に転送する。
【００２６】
ハードディスク２４は、ＣＰＵ２１の制御下で、画像入力部４０で読み取った原稿の画像データやホストＩ／Ｆ２６を介して受信した外部ホスト装置からの画像データを蓄積し、また、ＣＰＵ２１の制御下で、蓄積する画像データが読み出される。
【００２７】
そして、ＣＰＵ２１は、ＰＣＩバス２２の占有率（ＰＣＩバス２２の最大データ転送レートに対する現在のデータ転送レートの比）をモニター（監視）し、当該ＰＣＩバス２２の占有率のモニター結果に基づく各種ジョブの制御を行うＰＣＩバス占有率対応ジョブ制御処理を実行する。
【００２８】
画像入力部４０は、図示しないＡＤＦ（Auto Document Feeder）を備えており、ＡＤＦは、セットされる複数枚の原稿を１枚ずつ分離して画像入力部４０の読取位置に搬送して、画像入力部４０で読み取りの完了した原稿を排紙台上に排出する。画像入力部４０は、例えば、ＡＤＦで読取位置に搬送されてきた原稿または手操作で読取位置にセットされた原稿に光源から読取光を照射して原稿で反射された反射光をＣＣＤ（Charge Coupled Device ）で光電変換することで、主走査及び副走査して、原稿の画像を選択指定された解像度、例えば、１００、１５０、２００、３００、４００、６００ｄｐｉで読み取り、読み取った原稿の画像データを画像処理部３０の画像入力用ＩＰＵ３１に出力する。
【００２９】
画像書込部５０は、例えば、電子写真方式のプリンタ等が用いられており、画像処理部３０の画像書込用ＩＰＵ３２で処理された画像データに基づいて変調したレーザビームを半導体レーザ素子から出力して、ポリゴンミラー等のミラーを通して感光体に照射して、当該感光体表面に静電潜像を形成する。画像書込部５０は、感光体上の静電潜像にトナーを付与してトナー画像として現像し、当該トナー画像を用紙に転写・定着させて画像形成して、当該画像形成した用紙を排紙トレイから排紙する。そして、画像書込部５０は、最大で、１２００ｄｐｉの解像度で画像形成（画像書込）を行う。
【００３０】
画像処理部３０の画像入力用ＩＰＵ３１は、画像入力部４０のＣＣＤで読み取った画像データに、所定の画像処理、例えば、解像度変換及びサイズ変換等の画像処理を行い、Ｉ／Ｆ３３及びＰＣＩバス２２を介してＣＰＵ２１に転送する。
【００３１】
画像処理部３０の画像書込用ＩＰＵ３２は、画像入力部４０の読み取った原稿の画像データ（以下、必要に応じて、コピーデータという。）及び外部ホスト装置から転送されてきた画像データ（以下、必要に応じて、プリンタデータという。）を画像書込部５０で処理可能なデータ（すなわち、半導体レーザ点灯用のデータ）に変換して、画像書込部５０に出力する。そして、画像書込用ＩＰＵ３２は、コピーデータについては、１２００ｄｐｉの画素密度（解像度）に変換し、プリンタデータについては、６００ｄｐｉの画素密度（解像度）に変換する。
【００３２】
操作表示部（操作手段、表示手段）６０は、各種操作キーとタッチパネルＬＣＤ６１（図３及び図５参照）等を備えており、操作キーからは、デジタル複写装置１に各種動作を行わせるのに必要な各種操作が行われる。
【００３３】
タッチパネルＬＣＤ６１は、コントローラ部２０のＣＰＵ２１の制御下で、操作キーで行われた各種操作やデジタル複写装置１からユーザに通知する各種情報、例えば、紙サイズ、給紙段、倍率等を表示出力するとともに、デジタル複写装置１の備えているコピーモード、スキャナモード、プリンタモード等の各種モードに対応した操作ボタンを表示し、当該操作ボタンへのタッチ操作により、デジタル複写装置１に対する各種操作を可能とする。また、タッチパネルＬＣＤ６１は、特に、ＰＣＩバス２２の占有率をモニターした結果に基づくＰＣＩバス占有率対応ジョブ制御処理に対する対応情報を表示する。
【００３４】
次に、本実施例の作用を説明する。本実施例のデジタル複写装置１は、ＣＰＵ２１がＰＣＩバス２２の占有率をモニターし、当該ＰＣＩバス２２の占有率に適切なジョブの処理の選択を適切に行わせるＰＣＩバス占有率対応ジョブ制御処理を行う。
【００３５】
以下、複数部をコピーしている途中にスキャナアプリケーションの実行が選択操作された場合のＰＣＩバス占有率対応ジョブ制御処理について図２に基づいて説明する。
【００３６】
デジタル複写装置１は、複数枚の原稿が画像入力部４０のＡＤＦにセットされ、コピー部数が操作表示部６０のキー操作でセットされてコピーボタンが押下されると、本体制御部１０のＣＰＵ１１の制御下で、画像入力部４０がＡＤＦから順次搬送されてくる原稿の画像データを読み取って、当該画像入力部４０の読み取った原稿の画像データを画像処理部３０に転送し、画像処理部３０が所定の画像処理を施した後、Ｉ／Ｆ３３及びコントローラ部２０のＰＣＩバス２２を介してＣＰＵ２１に転送して、ＣＰＵ２１が、画像処理部３０から転送されてきた画像データに必要な処理を施して、ＰＣＩバス２２及びＩ／Ｆ２３を介してハードディスク２４に順次書き込んで蓄積する。
【００３７】
いま、複数部のコピーが選択設定されているため、ＣＰＵ２１は、ハードディスク２４に蓄積した画像データを順次コピー部数の回数だけ順次ページ順に読み出して、Ｉ／Ｆ２３とＰＣＩバス２２及び画像処理部３０のＩ／Ｆ３３を介して画像書込用ＩＰＵ３２に転送し、画像書込用ＩＰＵ３２で書込用に必要な画像処理を施して、画像書込部５０に転送して、画像書込部５０で画像を用紙に記録出力する連続コピー処理を実行する（ステップＳ１０１）。
【００３８】
コントローラ部２０のＣＰＵ２１は、この連続コピー処理中においてＰＣＩバス２２の占有率をモニターして、ＰＣＩバス２２の空き容量がどの程度あるかを計算する（ステップＳ１０２）。
【００３９】
そして、上記連続コピー処理においては、ＣＰＵ２１が、ＡＤＦにセットされた複数枚の原稿を順次１回ずつ読み取って、ハードディスク２４に格納すると、当該ハードディスク２４の画像データをコピー部数回だけ読み出して連続コピー処理を実行するため、画像入力部４０は、ＡＤＦにセットされた複数枚の原稿の読み取りを完了すると、空いた状態となる。
【００４０】
したがって、連続コピー処理で、ＡＤＦにセットされた原稿の読み取りが完了すると、空いた画像入力部４０を利用して原稿の読取動作を行い、読み取った原稿の画像データを画像入力用ＩＰＵ３１で処理した後、Ｉ／Ｆ３３及びＰＣＩバス２２を介してＣＰＵ２１に転送してＣＰＵ２１で必要な画像処理を行って、再度、ＰＣＩバス２２及びＩ／Ｆ２３を介してハードディスク２４に蓄積したり、ホストＩ／Ｆ２６を介してＬＡＮに接続されているホスト装置に転送するスキャナアプリケーション機能（スキャンジョブ）を実行することができる。このスキャナアプリケーション処理でハードディスク２４に蓄積された画像データは、必要に応じて画像書込部５０に転送して用紙に記録出力するのに供されたり、ホストＩ／Ｆ２６を介してＬＡＮに接続されたホスト装置への転送に供される。
【００４１】
そこで、コントローラ部２０のＣＰＵ２１は、操作表示部６０のキー操作でスキャナアプリケーションが選択されると、読取条件を指定する２値と多値（グレースケール）の選択画面を操作表示部６０のタッチパネルＬＣＤ６１に表示し、２値・多値の選択が行われると（ステップＳ１０４）、解像度と上記モニターしているＰＣＩバス２２の占有率の比較計算を行って（ステップＳ１０５）、現在のＰＣＩバス２２の空き容量からプリントジョブである連続コピー動作（プリント動作）を妨げることなく実行することのできるスキャン解像度の解像度キーを明示した読取条件設定画面を動作設定ガイド情報（ガイド情報）として、図３に示すように、操作表示部６０のタッチパネルＬＣＤ６１に表示する（ステップＳ１０６）。
【００４２】
なお、図３の読取条件設定画面では、１００〜３００ｄｐｉが選択可能で、４００、６００ｄｐｉが選択不可能な場合を示しており、選択可能な１００〜３００ｄｐｉの解像度キーが明るく、選択不可能な４００、６００ｄｐｉの解像度キーが暗く表示されている。また、解像度を選択する読取条件設定画面では、他のキーはタッチ操作しても反応しないように制御されている。
【００４３】
そして、デジタル複写装置１では、上記連続コピー処理とスキャナアプリケーション（スキャンジョブ）処理との同時処理においては、例えば、図４に○×で示すように、コピー処理での解像度が１２００ｄｐｉであるので、画像入力部４０での読取解像度が３００ｄｐｉまでのスキャナアプリケーション処理であれば、同時処理を行うことができる。また、上記説明では、画像入力部４０で読み取った原稿の画像データを一旦ハードディスク２４に蓄積した後にＰＣＩバス２２を介して画像書込部５０で用紙に記録出力するコピー処理を行う場合について説明しているが、デジタル複写装置１は、外部ホスト装置から画像データを受信して当該受信した画像データをＰＣＩバス２２を介して一旦ハードディスク２４に蓄積した後にハードディスク２４からＰＣＩバス２２を介して画像書込部５０に転送して用紙に記録出力するプリントジョブの処理中にもスキャナアプリケーション処理（スキャンジョブ）との同時処理を行うことができ、このプリンタ処理中の同時処理では、プリンタ処理での解像度が６００ｄｐｉであるので、図４に○×で示すように、画像入力部４０での読取解像度が４００ｄｐｉまでのスキャナアプリケーション処理であれば、同時処理を行うことができる。
【００４４】
そして、コントローラ部２０のＣＰＵ２１は、図３に示したように解像度キーを表示すると、プリント動作に支障を生じない（プリント動作可の）解像度キーがタッチ操作されて選択されたかチェックし（ステップＳ１０７）、プリント動作可の解像度キーが選択されると、連続コピー処理とスキャナアプリケーション処理とを同時動作する（ステップＳ１０８）。
【００４５】
ステップＳ１０７で、プリント動作可でない解像度キーが選択されると、ＣＰＵ２１は、連続コピー処理であるプリント動作とスキャナアプリケーション処理とを同時処理できないため、図５に示すように、プリント動作を一時停止してスキャナアプリケーション処理を優先するか否かを問い合わせる旨のメッセージ、例えば、「プリント動作を一時停止してスキャンを優先しますか」等のメッセージを表示する注意画面を注意ガイド情報（ガイド情報）としてタッチパネルＬＣＤ６１に表示し（ステップＳ１０９）、プリント動作可の解像度キーが選択し直されたかチェックする（ステップＳ１１０）。
【００４６】
ステップＳ１１０で、プリント動作可の解像度キーが選択されると、コントローラ部２０のＣＰＵ２１は、連続コピー処理とスキャナアプリケーション処理とを同時動作する（ステップＳ１０８）。
【００４７】
ステップＳ１１０で、プリント動作可でない解像度キーが選択されると、コントローラ部２０のＣＰＵ２１は、連続コピー処理のプリント動作を一時停止させて、スキャナアプリケーション処理を優先して動作させる（ステップＳ１１１）。
【００４８】
このように、本実施例のデジタル複写装置１は、操作表示部６０からの操作に応じて、双方向バスであるＰＣＩバス２２を用いて画像データを転送して、プリントジョブ、スキャンジョブ等の複数のジョブを同時に処理するに際して、ＰＣＩバス２２の占有率をモニターし、少なくとも１つのジョブを実行中にＰＣＩバス２２の処理能力を超える新たなジョブが要求されると、ＰＣＩバス２２の処理能力の範囲内で実行中のジョブ及び新たに要求されたジョブを実行する上で必要なガイド情報を操作表示部６０のタッチパネルＬＣＤ６１に表示出力している。
【００４９】
したがって、最適な処理をユーザが容易に選択できるようにすることができ、操作性を向上させて、利用性を向上させることができる。
【００５０】
また、本実施例のデジタル複写装置１は、プリントジョブの実行中にスキャンジョブが新たに要求されると、ＰＣＩバス２２の占有率から解像度等のスキャンジョブの処理可能な動作設定項目を算出し、当該算出したスキャンジョブの処理可能な動作設定項目に基づいてスキャンジョブに対して動作設定項目を設定する際の読取条件設定画面（動作設定ガイド情報）をガイド情報として操作表示部６０のタッチパネルＬＣＤ６１に表示出力している。
【００５１】
したがって、プリントジョブの実行に影響を与えない範囲での新たなスキャンジョブの動作設定を容易に行えるようにすることができ、プリントジョブの実行を確保して生産性を向上させることができるとともに、利用性を向上させることができる。
【００５２】
さらに、本実施例のデジタル複写装置１は、スキャンジョブの動作設定項目の設定においてＰＣＩバス２２の処理能力を超える設定が行われると、実行中のプリントジョブに及ぼす影響についての注意画面（注意ガイド情報）をガイド情報として操作表示部６０のタッチパネルＬＣＤ６１に表示出力している。
【００５３】
したがって、新たなジョブであるスキャンジョブの動作設定によって実行中のプリントジョブに及ぼす影響、例えば、インターリーブ動作によるプリント動作を行うことによるプリント時間の遅延等がユーザに分かるようにして、適切な設定を容易に行えるようにすることができ、より一層操作性を向上させて、利用性をより一層向上させることができる。
【００５４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５５】
スキャナ機能、プリンタ機能、コピー機能等の複数の機能を双方向バスを介して画像データを転送して同時に実行する能力を有する場合に、双方向バスの占有率をモニターして複数の機能の実行を適切に処理するデジタル複写装置等の画像処理装置に適用することができる。
【図面の簡単な説明】
【００５６】
【図１】本発明の画像処理装置の一実施例を適用したデジタル複写装置の要部ブロック構成図。
【図２】図１のデジタル複写装置によるＰＣＩバス占有率対応ジョブ制御処理を示すフローチャート。
【図３】図２のＰＣＩバス占有率対応ジョブ制御処理で操作表示部のタッチパネルＬＣＤに表示する読取条件設定画面の一例を示す平面図。
【図４】図２の読取条件設定画面で同時処理可能な解像度の一例を示す図。
【図５】図２の読取条件設定画面で操作表示部のタッチパネルＬＣＤに表示する注意画面の一例を示す平面図。
【符号の説明】
【００５７】
１  デジタル複写装置
１０  本体制御部
１１  ＣＰＵ
１２  Ｉ／Ｆ
２０  コントローラ部
２１  ＣＰＵ
２２  ＰＣＩバス
２３  Ｉ／Ｆ
２４  ハードディスク（ＨＤＤ）
２５  メモリ
２６  ホストＩ／Ｆ
３０  画像処理部
３１  画像入力用ＩＰＵ
３２  書込用ＩＰＵ
３３  Ｉ／Ｆ
４０  画像入力部
５０  画像書込部
６０  操作表示部
【図１】
2005269322.tif 000003
【図２】
2005269322.tif 000004
【図３】
2005269322.tif 000005
【図４】
2005269322.tif 000006
【図５】
2005269322.tif 000007